(57)【要約】      （修正有）【課題】簡単な構成で、高い強度を有しつつ自然で柔らかな刺激を身体に与えて、健康促進、体調改善等が実現可能なマッサージ具となる袋体を提供する。【解決手段】対向する一対の長辺Ｌと対向する一対の短辺Ｓとを有する矩形状の布状体を用いて構成されており、短辺を略三等分すべく、長辺のそれぞれを折り畳むことによって、長辺の一方の端部２１を布状体の内側に折り込んだ折り込み部３１を成し、長辺の中央部近傍に所定の間隔を有すべく、短辺と平行に、一対の袋部形成縫付部を設け、これら一対の袋部形成縫付部の間に、長辺の一方の端部２１を開口端部とする袋部２を形成する。袋部の周囲に位置する布状体が把持部３となる。袋部内に、外側に面ファスナを有し複数の粒状体を収納した収納体を備えることが好ましい。より効果的なマッサージが可能となる。【選択図】図２
0003191532.tif 000002
【実用新案登録請求の範囲】
【請求項１】
マッサージ具用袋体であって、
一体的に形成された布状体を用いて構成されており、
前記布状体を少なくとも二回折り畳むことによって、前記布状体の一つの端部を前記布状体の内側に折り込んだ折り込み部を成し、
前記折り込み部の内側に位置する前記端部が開口可能となるように、前記端部の周囲に所定の間隔を有すべく、第一縫付部と第二縫付部とを設け、
前記第一縫付部と前記第二縫付部との間に、前記端部を開口端部とする袋部を形成し、
前記袋部の周囲に位置する前記布状体が把持部として機能する
ことを特徴とするマッサージ具用袋体。
【請求項２】
マッサージ具用袋体であって、
対向する一対の長辺と対向する一対の短辺とを有する矩形状の布状体を用いて構成されており、
前記短辺を略三等分すべく、前記長辺のそれぞれを折り畳むことによって、前記長辺の一方の端部を前記布状体の内側に折り込んだ折り込み部を成し、
前記折り込み部の内側に位置する前記端部が開口可能となるように、前記長辺の中央部近傍に所定の間隔を有すべく、前記短辺と平行に、第一縫付部と第二縫付部とを設け、
前記第一縫付部と前記第二縫付部との間に、前記長辺の一方の端部を開口端部とする袋部を形成し、
前記袋部の周囲に位置する前記布状体が把持部として機能する
ことを特徴とするマッサージ具用袋体。
【請求項３】
請求項１または請求項２に記載のマッサージ具用袋体を用いて構成されたマッサージ具であって、
前記マッサージ具用袋体の前記袋部内に、複数の粒状物を収納した収納体を備え、
前記収納体は、その外側に面ファスナを有する
ことを特徴とするマッサージ具。
【請求項４】
請求項１または請求項２に記載のマッサージ具用袋体を用いて構成されたマッサージ具であって、
前記マッサージ具用袋体の前記袋部内に、複数の真珠を収納した収納体を備え、
前記収納体は、その外側に面ファスナを有し、
前記真珠の直径が、５ｍｍ〜１０ｍｍ程度である
ことを特徴とするマッサージ具。
【考案の詳細な説明】
【技術分野】
【０００１】
本考案は、マッサージ具を構成するマッサージ具用袋体に関するもので、より具体的には、比較的簡単な構成に基づき、構造的に高い強度を有しつつ自然で柔らかな刺激を身体に与えて、健康回復、健康促進、体調改善等を実現可能なマッサージ具を構成する、マッサージ具用袋体に関するものである。また、本考案は、このマッサージ具用袋体を用いて構成されるマッサージ具に関するものである。
【背景技術】
【０００２】
運動不足、過剰運動、疲労、あるいは加齢等により、どのような環境・年齢の人であっても、腰痛、肩こり、あるいは筋肉痛等（以下、「体調不良等」ともいう。）の症状は、常日頃から起こり得るものである。
【０００３】
これらの体調不良等を解消するための従来技術にかかる方法としては、例えば、鍼、灸、整体、マッサージ、マッサージ具、あるいは外科治療等があげられる。
【０００４】
上述した体調不良等を解消するためのマッサージ具の一例としては、例えば、特許文献１に示したものがある。この従来技術にかかるマッサージ具は、「内部に大小取り混ぜた複数の球体を収納し両端部に波縫い状に通した口元紐を引くことにより両端部が引き絞られて袋状に閉じることができる筒状の収納袋と固さ調節紐と固定紐とからなる本体と、側面に凹部を形成し中心に設けた空洞部に軸棒を嵌挿させた押さえ部材とからなる支持具を筒状の収納袋の中心に嵌通させた」構成を有している。
【先行技術文献】
【特許文献】
【０００５】
【特許文献１】特開２００６−３２６０７９号公報
【考案の概要】
【考案が解決しようとする課題】
【０００６】
特許文献１に示した従来技術にかかるマッサージ具は、上述したように、複数の球体を収納した収納袋と、この収納袋の中心に嵌挿された軸棒とを有し、この軸棒を手で持った状態で収納袋を身体に押し当てることによって、マッサージ効果を得る構成である。
【０００７】
上記従来技術にかかるマッサージ具は、収納袋（内の複数の球体）を身体に押し当ててマッサージを行う際、収納袋と別体である軸棒を手に持ち、この軸棒を介して収納袋を動かす必要がある。そのため、マッサージを行う際には、収納袋と軸棒との間に負荷がかかり、収納袋の口元紐や押さえ部材や軸棒自体が破損するおそれがある。
つまり、複数の部材で構成された従来技術にかかるマッサージ具は、手で持って身体に押し当ててマッサージを行う際に、各構成要素およびその接触部にて負荷がかかり、ほつれや破損等が発生する可能性が高まるという問題があった。
【０００８】
そこで、本考案は、上記従来技術の問題を解決するためになされたものであり、比較的簡単な構成に基づき、構造的に高い強度を有しつつ自然で柔らかな刺激を身体に与えて、健康回復、健康促進、体調改善等を実現可能なマッサージ具を構成する、マッサージ具用袋体を提供することを課題とする。また、本考案は、上記従来技術の問題を解決するためになされたものであり、上記マッサージ具用袋を用いることにより、構造的に高い強度を有しつつ自然で柔らかな刺激を身体に与えて、健康回復、健康促進、体調改善等を実現可能な、マッサージ具を提供することを課題とする。
【課題を解決するための手段】
【０００９】
本考案の第一態様は、上記課題を解決するためになされたマッサージ具用袋体であって、一体的に形成された布状体を用いて構成されており、前記布状体を少なくとも二回折り畳むことによって、前記布状体の一つの端部を前記布状体の内側に折り込んだ折り込み部を成し、前記折り込み部の内側に位置する前記端部が開口可能となるように、前記端部の周囲に所定の間隔を有すべく、第一縫付部と第二縫付部とを設け、前記第一縫付部と前記第二縫付部との間に、前記端部を開口端部とする袋部を形成し、前記袋部の周囲に位置する前記布状体が把持部として機能することを特徴としている。
【００１０】
このように、本考案の第一態様にかかるマッサージ具用袋体は、一体的に形成された前記布状体を用いて、前記袋部と前記把持部とが構成されている。つまり、本考案によれば、このマッサージ具用袋体を用いてマッサージ具を構成し、実際にマッサージを行う際には、使用者は前記把持部を持ち、前記袋部を使用者自身の身体に接触させることによって（例えば、強弱をつけて接触させることによって）、適切な刺激を得ることができる。このような構成によれば、前記袋部と前記把持部とが一体的に構成されているため、複数の構成要素から成る従来技術等と比較して、構造的に高い強度を得ることができる。すなわち、本考案によれば、比較的簡単な構成（一体的に形成された前記袋部と前記把持部）に基づき、構造的に高い強度を有しつつ自然で柔らかな刺激を身体に与えて、健康回復、健康促進、体調改善等を実現可能なマッサージ具を構成する、マッサージ具用袋体を得ることができる。
また、本態様にかかるマッサージ具用袋体においては、構造的に高い強度を有しつつ自然で柔らかな刺激を身体に与えるための「布状体」として、絹、綿、麻などの天然素材を用いることが好ましい。
【００１１】
本考案の第二態様は、上記課題を解決するためになされたマッサージ具用袋体であって、対向する一対の長辺と対向する一対の短辺とを有する矩形状の布状体を用いて構成されており、前記短辺を略三等分すべく、前記長辺のそれぞれを折り畳むことによって、前記長辺の一方の端部を前記布状体の内側に折り込んだ折り込み部を成し、前記折り込み部の内側に位置する前記端部が開口可能となるように、前記長辺の中央部近傍に所定の間隔を有すべく、前記短辺と平行に、第一縫付部と第二縫付部とを設け、前記第一縫付部と前記第二縫付部との間に、前記長辺の一方の端部を開口端部とする袋部を形成し、前記袋部の周囲に位置する前記布状体が把持部として機能することを特徴としている。
【００１２】
このように、本考案の第二態様にかかるマッサージ具用袋体は、第一態様にかかるマッサージ具用袋体と同様に、一体的に形成された前記布状体を用いて、前記袋部と前記把持部とが構成されている。したがって、上述した第一態様にかかるマッサージ具用袋体と同様の作用効果に加えて、次のような作用効果を得ることができる。
具体的には、この第二態様によれば、前記袋部も前記把持部も、前記布状体が三重に折り重なって構成されているため、より高い強度を有するマッサージ具用袋体を得ることができる。
さらに、この第二態様にかかるマッサージ具用袋体も、第一態様と同様に、構造的に高い強度を有しつつ自然で柔らかな刺激を身体に与えるための「布状体」として、絹、綿、麻などの天然素材を用いることが好ましい。
【００１３】
本考案の第三態様は、上記課題を解決するためになされたものであり、上述した第一態様または第二態様にかかるマッサージ具用袋体を用いて構成されたマッサージ具であって、前記マッサージ具用袋体の前記袋部内に、複数の粒状物を収納した収納体を備え、前記収納体は、その外側に面ファスナを有することを特徴としている。
【００１４】
このように構成されたマッサージ具によれば、使用者が、前記収納体（複数の粒状物を収納した収納体）を備えた前記袋部を使用者自身の身体に接触させることによって（例えば、強弱をつけて接触させることによって）、点での刺激ではなく、分散した自然で柔らかな刺激を得ることが可能となり、健康回復、健康促進、体調改善等を図ることができる。
また、第三態様にかかるマッサージ具は、上述した第一態様または第二態様にかかるマッサージ具用袋体を用いて構成されているため、構造的に高い強度を有しつつ自然で柔らかな刺激を身体に与えて、健康回復、健康促進、体調改善等を実現可能な、マッサージ具を得ることができる。
さらに、第三態様にかかるマッサージ具は、複数の粒状物を有する前記収納体が、使用者の身体に接することによって、前記複数の粒状物が身体の形状に沿って自然に分散する。このような自然な分散によって、本考案にかかるマッサージ具によれば、前記収納体をソフトに身体に打ち付けることができる。また、前記収納体による身体への刺激箇所が複数となるため、身体に存在するツボを的確に捉えることができる。
また、第三態様にかかるマッサージ具によれば、前記収納体の外側に前記面ファスナが設けられている。したがって、このような構成によれば、前記収納体が前記袋部内に適切に収まった状態で、使用者が前記袋部を使用者自身の身体に強く接触させても、前記収納体は前記袋部内から脱落しない。つまり、このような構成によれば、前記面ファスナを有することによって、前記袋部と前記収納体との間で大きな摩擦力が生じるため、前記袋部内における前記収納体の格納状態が適切に保持されることとなる。
【００１５】
本考案の第四態様は、上記課題を解決するためになされたものであり、上述した第一態様または第二態様にかかるマッサージ具用袋体を用いて構成されたマッサージ具であって、前記マッサージ具用袋体の前記袋部内に、複数の真珠を収納した収納体を備え、前記収納体は、その外側に面ファスナを有し、前記真珠の直径が、約５ｍｍ〜約１０ｍｍ程度であることを特徴としている。
【００１６】
このように構成された本考案の第四態様にかかるマッサージ具は、上述した第三態様にかかるマッサージ具と同様の作用効果に加えて、次のような作用効果を得ることができる。
具体的には、本考案の第四態様にかかるマッサージ具によれば、前記収納体内に前記複数の真珠が収納されている。したがって、このような構成によれば、前記真珠を用いることによって、使用者は、より柔らかな刺激を得ることができる。
【考案の効果】
【００１７】
本考案によれば、比較的簡単な構成に基づき、構造的に高い強度を有しつつ自然で柔らかな刺激を身体に与えて、健康回復、健康促進、体調改善等を実現可能なマッサージ具を構成する、マッサージ具用袋体を得ることができる。また、本考案によれば、このマッサージ具用袋体を用いることにより、構造的に高い強度を有しつつ自然で柔らかな刺激を身体に与えて、健康回復、健康促進、体調改善等を実現可能な、マッサージ具を得ることができる。
【図面の簡単な説明】
【００１８】
【図１】本考案の第一実施形態にかかるマッサージ具用袋体の概略斜視図を示したものである。
【図２】本考案の第一実施形態にかかるマッサージ具用袋体の構成概略図を示したものであって、図２（ａ）は、本実施形態にかかるマッサージ具用袋体を構成する布状体の概略斜視図を示し、図２（ｂ）は、図２（ａ）に示した布状体の上方端部を折り曲げた状態の概略斜視図を示し、図２（ｃ）は、図２（ｂ）に示した布状体の下方端部を折り曲げた状態の概略斜視図を示し、図２（ｄ）は、図２（ｃ）に示した布状体の中央部近傍に袋部形成縫付部を設けた状態（マッサージ具用袋体）の概略斜視図を示している。
【図３】本考案の第一実施形態にかかるマッサージ具用袋体を用いて構成されるマッサージ具の構成概略図を示したものであって、図３（ａ）は、本実施形態にかかるマッサージ具を構成するマッサージ具用袋体と収納体の概略斜視図を示し、図３（ｂ）は、図３（ａ）に示したマッサージ具用袋体を成す袋部のＢ−Ｂ線概略断面図と収納体の概略断面図を示し、図３（ｃ）は、図３（ｂ）に示した袋部の袋開口部から収納体を挿入する状態の概略断面図を示し、図３（ｄ）は、図３（ｃ）に示した状態から収納体を袋部の袋内部に挿入した状態の概略断面図を示し、図３（ｅ）は、図３（ｄ）に示すように袋部に収納体を挿入して構成された、マッサージ具の概略斜視図を示している。
【図４】図３に示したマッサージ具の使用方法（一例）の概略図を示したものであって、図４（ａ）は本実施形態にかかるマッサージ具を用いて使用者の背中をマッサージ（あるいは洗浄）している概略図を示し、図４（ｂ）は本実施形態にかかるマッサージ具を用いて使用者の太腿をマッサージ等している概略図を示している。
【図５】本考案の第二実施形態にかかるマッサージ具用袋体の構成概略図を示したものであって、図５（ａ）は、本実施形態にかかるマッサージ具用袋体を構成する布状体の概略斜視図を示し、図５（ｂ）は、図５（ａ）に示した布状体の中央下方端部を折り曲げた状態の概略斜視図を示し、図５（ｃ）は、図５（ｂ）に示した布状体の中央下方端部を内部に折り込むようにさらに折り曲げた状態の概略斜視図を示し、図５（ｄ）は、図５（ｃ）に示した布状体の中央左方端部および中央右方端部に袋部形成縫付部を設けた状態（マッサージ具用袋体）の概略斜視図を示している。
【考案を実施するための形態】
【００１９】
以下、図面に基づいて、本考案の実施形態を説明する。
【００２０】
＜第一実施形態＞
図１は、本考案の第一実施形態にかかるマッサージ具用袋体の概略斜視図を示したものである。また、図２は、本考案の第一実施形態にかかるマッサージ具用袋体の構成概略図を示したものである。さらに、図３は、本考案の第一実施形態にかかるマッサージ具用袋体を用いて構成されるマッサージ具の構成概略図を示したものである。また、図４は、図３に示したマッサージ具の使用方法（一例）の概略図を示したものである。
【００２１】
図１に示すように、本実施形態にかかるマッサージ具用袋体１は、袋部２と、この袋部２の両側に設けられた把持部３とを用いて構成されている。本実施形態にかかるマッサージ具用袋体１においては、後述する収納体を袋部２に挿入した状態で、使用者が把持部３を把持して、袋部２を使用者の身体に押し当てる等することによって、使用者はマッサージ効果を得ることができる。
【００２２】
マッサージ具用袋体１を成す袋部２は、その上部に袋開口部２ａを形成すべく、左右に一対の袋部形成縫付部１１（本考案の「第一縫付部」「第二縫付部」に相当）が設けられ、その下部に袋部下方縫付部１５が設けられている。
【００２３】
マッサージ具用袋体１を成す把持部３は、その上部に上方縫付部１２が設けられ、左右の端部に側方縫付部１３が設けられ、その下部に下方縫付部１４が設けられている。
【００２４】
本実施形態においては、それぞれの縫付部１１〜１５は、ミシン等を用いて構成されている。また、本実施形態においては、下方縫付部１４と袋部２を成す袋部下方縫付部１５とが、ミシン等を用いて連続的に縫い付けられても、それぞれ独立して縫い付けられてもよい。
【００２５】
次に、本実施形態にかかるマッサージ具用袋体１の構成（マッサージ具用袋体１の構成手順）について説明する。ここで、図２は、図１に示したマッサージ具用袋体１の構成概略図を示したものであって、図２（ａ）は、このマッサージ具用袋体１を構成する布状体２０の概略斜視図を示し、図２（ｂ）は、図２（ａ）に示した布状体２０の上方端部２１を折り曲げた状態の概略斜視図を示し、図２（ｃ）は、図２（ｂ）に示した布状体２０の下方端部２３を折り曲げた状態の概略斜視図を示し、図２（ｄ）は、図２（ｃ）に示した布状体２０の中央部近傍に袋部形成縫付部等を設けた状態（マッサージ具用袋体１）の概略斜視図を示している。
【００２６】
本実施形態にかかるマッサージ具用袋体１は、図２（ａ）に示す一体的に形成された布状体２０を用いて構成される。この布状体２０は略矩形であり、対向する一対の長辺Ｌ，Ｌと、対向する一対の短辺Ｓ，Ｓとを有している。また、この布状体２０においては、長辺Ｌの一方の端部（上方側端部）を上方端部２１、長辺Ｌの他方の端部（下方側端部）を下方端部２３、短辺Ｓの一方の端部（左方側端部）を左方端部２２、短辺Ｓの他方の端部（右方側端部）を右方端部２４という。さらに、この布状体２０においては、短辺Ｓ（左方端部２２および右方端部２４）を略三等分する位置に、第一折り曲げ部２５および第二折り曲げ部２６が設けられる。また、この布状体２０は、構造的に高い強度を有しつつ自然で柔らかな刺激を身体に与えるべく、絹、綿、麻などの天然素材を用いることが好ましい。本実施形態においては、布状体２０として、略矩形の絹布が用いられる。
【００２７】
本実施形態にかかるマッサージ具用袋体１を構成する場合、まず、図２（ａ）に示される布状体２０の上方端部２１を、第一折り曲げ部２５にて、図２（ｂ）の矢印方向（図面の表面方向）に折り曲げ、上方端部２１を第二折り曲げ部２６近傍に重ね合わせる。
【００２８】
次いで、図２（ｂ）の状態から、図２（ｂ）に示される布状体２０の下方端部２３を、第二折り曲げ部２６にて、図２（ｃ）の矢印方向（図面の表面方向）に折り曲げ、下方端部２３を第一折り曲げ部２５近傍に重ね合わせる。つまり、本実施形態においては、図２（ａ）に示す布状体２０を三つに折り畳むことによって、図２（ｃ）の状態が形成される。このような構成にて、本実施形態においては、図２（ｂ）の状態のときに折り畳まれた部位であって、図２（ｃ）の状態のときに下方端部２３に覆われた部位（上方端部２１を含む部位）を「折り込み部３１」という。
【００２９】
次いで、本実施形態においては、図２（ｃ）の状態から、布状体２０の所定箇所に複数の縫付部が設けられる（図２（ｄ））。なお、この図２においては、図面の煩雑化を避けるために、縫付部の詳細は省略する（縫付部については、図１を参照）。
具体的には、上述した折り込み部３１の内側に位置する上方端部（本考案の「開口端部」に相当）が開口可能となるように、長辺Ｌの中央部近傍に所定の間隔を有すべく、短辺Ｓと略平行に、一対の縫付部（本考案の「第一縫付部」と「第二縫付部」とに相当）が設けられる。つまり、この一対の縫付部の間に、上方端部２１を開口端部とする袋部２が形成され、この袋部２を成す下方端部２３の一部が袋開口部２ａを形成し、袋部２の周囲が把持部３として機能する。また、図２（ｃ）に示す布状体２０のそれぞれの端部についても、図１にて示した箇所に縫付部が設けられている。
【００３０】
以上のように、本実施形態においては、この図２に示すような工程を経て、マッサージ具用袋体１（図２（ｄ）参照）が構成される。
【００３１】
次に、図１および図２にて示されたマッサージ具用袋体１を用いて構成されるマッサージ具について説明する。ここで、図３は、図１等に示したマッサージ具用袋体１を用いて構成されるマッサージ具２００の構成概略図を示したものであって、図３（ａ）は、マッサージ具２００を構成するマッサージ具用袋体１と収納体４０の概略斜視図を示し、図３（ｂ）は、図３（ａ）に示したマッサージ具用袋体１を成す袋部２のＢ−Ｂ線概略断面図と収納体４０の概略断面図を示し、図３（ｃ）は、図３（ｂ）に示した袋部２の袋開口部２ａから収納体４０を挿入する状態の概略断面図を示し、図３（ｄ）は、図３（ｃ）に示した状態から収納体４０を袋部２の袋内部２ｂに挿入した状態の概略断面図を示し、図３（ｅ）は、図３（ｄ）に示すように袋部２に収納体４０を挿入して構成された、マッサージ具２００の概略斜視図を示している。
【００３２】
本実施形態にかかるマッサージ具２００は、図３（ａ）に示すように、マッサージ具用袋体１と収納体４０とを用いて構成される。マッサージ具用袋体１の構成は、図１および図２にて説明したとおりである。収納体４０は、収納袋４１内に真珠４２（本考案の「粒状物」「真珠」に相当）を収納して構成されており、収納袋４１の外側には面ファスナ５１が設けられている。収納袋４１は、収納した複数の真珠４２からの刺激を身体に適切に伝えるべく、絹布等の柔らかい素材を用いて構成されている。この収納体４１を構成する収納袋の構成素材としては、例えば、綿布や化学繊維等が適用可能であるが、天然素材を用いることが好ましい。また、この収納袋４１は、網状（メッシュ構造）であることが好ましく、例えば、約２ｍｍ〜約３ｍｍ程度の孔部が形成されている。孔部がこのような大きさに設定されているのは、真珠４２の抜け落ちを防止すると共に、真珠４２からの適切なマッサージ効果を得るためである。
【００３３】
本実施形態にかかるマッサージ具用袋体１の袋部２は、図３（ｂ）の断面図に示すように、上方端部２１（開口端部）が袋部２の内側に折り畳まれて折り込み部３１が構成される。そして、この折り込み部３１の外側と下方端部２３との間に袋開口部２ａが形成され、折り込み部３１の内側に袋内部２ｂが形成される。また、図３（ｂ）に示すように、収納体４０は、収納袋４１と、この収納袋４１内に封入された多数の真珠４２とを用いて構成されており、収納袋４１の外側には面ファスナ５１が設けられている。ここで用いられる真珠４２の直径は、約５ｍｍ〜約１５ｍｍ程度であることが好ましい。また、本実施形態においては、このような寸法の真珠４２を、収納袋４１内に約１００個〜約３００個程度、収納することが好ましい。また、収納体４０の形状（外形）は特に限定されないが、例えば、球体状（略球体状のものも含む）あるいは楕円体状（略楕円体状のものや略回転楕円体状も含む）となるべく構成されている。
【００３４】
上述したマッサージ具用袋体１と収納体４０とを用いてマッサージ具２００を構成する際には、まず、袋開口部２ａを広げ、この袋開口部２ａから収納体４０を挿入し（図３（ｂ）および図３（ｃ）参照）、その後、袋部２内の上方端部２１（開口端部）を広げ、この上方端部２１（開口端部）から収納体４０を袋内部２ｂに挿入する（図３（ｃ）および図３（ｄ）参照）。
【００３５】
この図３（ｄ）に示すように、マッサージ具用袋体１の袋部２（の袋内部２ｂ）に収納体４０が挿入されることによってマッサージ具２００が構成される。また、収納袋４１の外側には面ファスナ５１が設けられているため、この面ファスナ５１と布状体の一部（この実施形態においては、折り込み部３１の内側）との間で大きな摩擦力が生じ、収納体４０は袋部２（の袋内部２ｂ）に適切に保持収納されることとなる。図３（ｅ）は、以上のようにして構成された（図３（ｄ）に示すように収納体４０が袋部２に挿入された）マッサージ具２００の概略斜視図を示している。
【００３６】
本実施形態にかかるマッサージ具２００の基本的な構成は、図１〜図３にて説明したとおりである。そして、その比較的構成に基づき、使用者がこのマッサージ具２００を適切に使用することによって、構造的に高い強度を有しつつ自然で柔らかな刺激を身体に与えて、健康回復、健康促進、体調改善等を実現することができる。
以下、図４を用いて、マッサージ具２００の使用方法の一例を説明する。ここで、図４は、本考案の実施形態にかかるマッサージ具の使用方法（一例）の概略図を示したものである。
【００３７】
まず、図４（ａ）は、本実施形態にかかるマッサージ具２００の使用方法の一例の概略図を示したものであって、具体的には、風呂や温泉等にて、使用者が自身の背中のマッサージあるいは洗浄を行っている状態を示したものである。
【００３８】
この図４（ａ）に示すように、本実施形態にかかるマッサージ具２００によれば、袋部２の周囲に把持部３が設けられているため、使用者は、これらの把持部３を左右の手で把持することによって、容易に自分自身の背中のマッサージ等を行うことができる。
【００３９】
また、本実施形態によれば、袋部２に石鹸等を染み込ませた状態で、図６（ａ）に示すように使用すれば、マッサージを行うと共に、背中の洗浄を行うことも可能である。
【００４０】
次いで、図４（ｂ）は、本実施形態にかかるマッサージ具２００の使用方法の一例の概略図を示したものであって、具体的には、使用者が自身の太腿のマッサージ等を行っている状態を示したものである。
【００４１】
この図４（ｂ）に示すように、本実施形態にかかるマッサージ具２００は、把持部３を把持するのではなく、把持部３をまとめた状態として、袋部２と把持部３とを直接把持して使用することも可能である。本実施形態においては、袋部２も把持部３も同一の部材（身体に優しい部材等）を用いて構成されているため、このように、袋部２と把持部３ともまとめた状態で使用しても、使用者の身体に対して、適切なマッサージ効果を与えることができる。
【００４２】
さて、本実施形態にかかるマッサージ具用袋体１およびマッサージ具２００は、以上のように構成されているため、その構成に基づき、次のような作用効果を得ることができる。
【００４３】
本実施形態にかかるマッサージ具用袋体１は、対向する一対の長辺Ｌ，Ｌと対向する一対の短辺Ｓ，Ｓとを有する矩形状の布状体２０を用いて構成されており、短辺Ｓ，Ｓを略三等分すべく、長辺Ｌ，Ｌのそれぞれを折り畳むことによって、長辺Ｌ，Ｌの一方の端部（上方端部２１）を布状体２０の内側に折り込んだ折り込み部３１を成し、折り込み部３１の内側に位置する端部（上方端部２１）が開口可能となるように、長辺Ｌ，Ｌの中央部近傍に所定の間隔を有すべく、短辺Ｓ，Ｓと平行に、袋部形成縫付部１１，１１（本考案の「第一縫付部」「第二縫付部」に相当）を設け、これらの袋部形成縫付部１１，１１の間に、長辺Ｌ，Ｌの一方の端部（上方端部２１）を開口端部とする袋部２を形成し、袋部２の周囲に位置する布状体２０が把持部３として機能することを特徴としている。
【００４４】
このように、本実施形態にかかるマッサージ具用袋体１は、一体的に形成された布状体２０を用いて、袋部２と把持部３とが構成されている。つまり、本実施形態によれば、このマッサージ具用袋体１を用いてマッサージ具を構成し、実際にマッサージを行う際には、使用者は把持部３を持ち、袋部２を使用者自身の身体に接触させることによって（例えば、強弱をつけて接触させることによって）、適切な刺激を得ることができる。このような構成によれば、袋部２と把持部３とが一体的に構成されているため、複数の構成要素から成る従来技術等と比較して、構造的に高い強度を得ることができる。すなわち、本実施形態によれば、比較的簡単な構成（一体的に形成された袋部２と把持部３）に基づき、構造的に高い強度を有しつつ自然で柔らかな刺激を身体に与えて、健康回復、健康促進、体調改善等を実現可能なマッサージ具を構成する、マッサージ具用袋体を得ることができる。
加えて、このように構成されたマッサージ具用袋体１によれば、袋部２も把持部３も、布状体２０が三重に折り重なって構成されているため、より高い強度を有するマッサージ具用袋体１を得ることができる。
【００４５】
また、本実施形態にかかるマッサージ具２００は、上記マッサージ具用袋体１の袋部２内に、複数の真珠４２（本考案の「粒状物」に相当）を収納した収納体４０を備え、収納体４０は、その外側に面ファスナ５１を有することを特徴としている。
【００４６】
このように構成されたマッサージ具２００によれば、使用者が、収納体４０（複数の真珠４２を収納した収納体４０）を挿入した袋部２を使用者自身の身体に接触させることによって、点での刺激ではなく、分散した自然で柔らかな刺激を得ることが可能となる。つまり、本実施形態にかかるマッサージ具２００は、刺激点を増やすために、複数の真珠４２を用いて構成されている。より具体的には、本実施形態にかかるマッサージ具２００は、複数の真珠４２を凝集して構成された収納体４０を備えている。したがって、本実施形態によれば、この収納体４０を、把持部３あるいは袋部２自身を操作することによって、身体の所定箇所（治療箇所等）に接触させ（叩きつけ）、健康回復、健康促進、体調改善等を図ることができる。
また、このマッサージ具２００は、上述したマッサージ具用袋体１を用いて構成されているため、構造的に高い強度を有しつつ自然で柔らかな刺激を身体に与えて、健康回復、健康促進、体調改善等を実現可能な、マッサージ具２００を得ることができる。
さらに、このマッサージ具２００は、このような構成および使用方法であるため、比較的小さな球状である複数の真珠４２が、身体に接触する際にその身体の形状に沿って移動し分散する。つまり、このマッサージ具２００によれば、収納体４０中の真珠４２が、身体に当たった瞬間に身体の形状に沿って分散するため、収納体４０からの力も分散され、収納体４０を内包する袋部２をソフトに身体に打ち付けることが可能となり、柔らかな刺激を皮膚に伝えることができる。また、収納体４０による身体への刺激箇所が複数となるため、身体全体にある無数のツボを多数の真珠４２にて的確に捉えることができる。
また、このマッサージ具２００によれば、収納体４０の外側に面ファスナ５１が設けられている。したがって、このような構成によれば、収納体４０が袋部２内に適切に収まった状態で、使用者が袋部２を使用者自身の身体に強く接触させても、収納体４０は袋部２内から脱落しない。つまり、このような構成によれば、面ファスナ５１を有することによって、袋部２と収納体４０との間で大きな摩擦力が生じるため、袋部２内における収納体４１の格納状態が適切に保持されることとなる。
【００４７】
さらに、本実施形態にかかるマッサージ具２００は、使用者が手に把持して使用可能なマッサージ具２００であって、複数の真珠４２を収納した収納体４０を袋部２内に有し、この袋部２の周囲の左右対向する一対の把持部３が設けられている。また、袋部２と把持部３とは同一の布状体２０を用いて構成されている。
【００４８】
このような構成によれば、使用者が左右の手で把持部３を把持した状態で、使用者の身体のいたる所をマッサージ（あるいは洗浄）することができる。より具体的には、使用者の背中等の手の届きにくい部位であっても、各把持部３を把持することによって、使用者は簡単にマッサージ（あるいは洗浄）することができる。加えて、袋部２と把持部３とが同一の布状体２０を用いて構成されているため、本実施形態によれば、継続して使用をしても、ほつれや破損等が発生しにくい、マッサージ具用袋体１およびマッサージ具２００を得ることができる。
【００４９】
したがって、本実施形態によれば、比較的簡単な構成に基づき、構造的に高い強度を有しつつ自然で柔らかな刺激を身体に与えて、健康回復、健康促進、体調改善等を実現可能な、マッサージ具用袋体１およびマッサージ具２００を得ることができる。
【００５０】
＜第二実施形態＞
次に、図面に基づいて、本考案の第二実施形態について説明する。より具体的には、第二実施形態にかかるマッサージ具用袋体１０１の構成（マッサージ具用袋体１０１の構成手順）について説明する。
【００５１】
ここで、図５は、本考案の第二実施形態にかかるマッサージ具用袋体１０１の構成概略図を示したものであって、図５（ａ）は、このマッサージ具用袋体１０１を構成する布状体６０の概略斜視図を示し、図５（ｂ）は、図５（ａ）に示した布状体６０の中央下方端部６３を折り曲げた状態の概略斜視図を示し、図５（ｃ）は、図５（ｂ）に示した布状体６０の中央下方端部６３を内部に折り込むようにさらに折り曲げた状態の概略斜視図を示し、図５（ｄ）は、図５（ｃ）に示した布状体の中央左方端部６７および中央右方端部６８に袋部形成縫付部１１１，１１１を設けた状態（マッサージ具用袋体１０１）の概略斜視図を示している。
【００５２】
本実施形態にかかるマッサージ具用袋体１０１は、図５（ａ）に示す一体的に形成された布状体６０を用いて構成される。この布状体６０は、図５（ａ）に示すように略Ｔ字型であり、上方端部６１、左方端部６２、左下方端部６５、中央左方端部６７、中央下方端部６３、中央右方端部６８、右下方端部６６、右方端部６４にて形成されている。換言すれば、略Ｔ字型の横棒部分が、上方端部６１、左方端部６２、左下方端部６５、第二折り曲げ部７６、右下方端部６６、および右方端部６４にて形成されており、略Ｔ字型の縦棒部分が、第二折り曲げ部７６、中央左方端部６７、中央下方端部６３、および中央右方端部６８にて形成されている。加えて、この略Ｔ字型の縦棒部分を略二分する箇所には第一折り曲げ部７５が設けられている。また、この布状体６０は、構造的に高い強度を有しつつ自然で柔らかな刺激を身体に与えるべく、絹、綿、麻などの天然素材を用いることが好ましく、本実施形態においては、第一実施形態と同様、絹布が用いられる。
【００５３】
本実施形態にかかるマッサージ具用袋体１０１を構成する場合、まず、図５（ａ）に示される布状体６０の中央下方端部６３（本考案の「開口端部」に相当）を、第一折り曲げ部７５にて、図５（ｂ）の矢印方向（図面の表面方向）に折り曲げ、中央下方端部６３を第二折り曲げ部７６近傍に重ね合わせる。
【００５４】
次いで、図５（ｂ）の状態から、図５（ｂ）に示される布状体６０の第一折り曲げ部７５を、第二折り曲げ部７６にて、図５（ｃ）の矢印方向（図面の表面方向）に折り曲げ、第一折り曲げ部７５を上方端部６１近傍に重ね合わせる。つまり、本実施形態においては、図５（ａ）に示す布状体６０の縦棒部分を三つに折り畳むことによって、図５（ｃ）の状態が形成される。このような構成にて、本実施形態においては、図５（ｂ）の状態のときに折り畳まれた部位であって、図５（ｃ）の状態のときにさらに内部に折り畳まれた部位（中央下方端部６３を含む部位）を「折り込み部８１」という。
【００５５】
次いで、本実施形態においては、図５（ｃ）の状態から、布状体６０の所定箇所に複数の縫付部が設けられる（図５（ｄ））。
具体的には、上述した折り込み部８１の内側に位置する中央下方端部（本考案の「開口端部」に相当）が開口可能となるように、中央左方端部６７および中央右方端部６８に、一対の縫付部１１１，１１１（本考案の「第一縫付部」と「第二縫付部」とに相当）が設けられる。つまり、この一対の縫付部１１１，１１１の間に、中央下方端部６３を開口端部とする袋部１０２が形成され、この袋部１０２を成す上方端部６１の一部が袋開口部１０２ａを形成し、袋部１０２の周囲が把持部１０３，１０３として機能する。
【００５６】
以上のように、本実施形態においては、この図５に示すような工程を経て、マッサージ具用袋体１０１（図５（ｄ）参照）が構成される。
【００５７】
本実施形態にかかるマッサージ具用袋体１０１は、以上のように構成されており、第一実施形態にて説明した収納体４０（図３等参照）を、袋開口部１０２ａおよび開口端部（中央下方端部６３）を介して袋部１０２内に収納することによって、マッサージ具が構成される。
このように構成されたマッサージ具用袋体１０１およびマッサージ具は、第一実施形態と略同様の作用効果を得ることができることに加え、以下のような作用効果を得ることができる。
【００５８】
本実施形態にかかるマッサージ具用袋体１０１は、一体的に形成された布状体６０を用いて構成されており、布状体６０を少なくとも二回折り畳むことによって、布状体６０の中央下方端部６３（本考案の「一つの端部」に相当）を布状体６０の内側に折り込んだ折り込み部８１を成し、折り込み部８１の内側に位置する中央下方端部６３が開口可能となるように、中央下方端部６３の周囲に所定の間隔を有すべく、袋部形成縫付部１１１，１１１（本考案の「第一縫付部」「第二縫付部」に相当）を設け、これらの袋部形成縫付部１１１，１１１の間に、中央下方端部６３を開口端部とする袋部１０２を形成し、袋部１０２の周囲に位置する布状体６０が把持部１０３，１０３として機能することを特徴としている。
【００５９】
このように、本実施形態にかかるマッサージ具用袋体１０１は、一体的に形成された布状体６０を用いて、袋部１０２と把持部１０３とが構成されている。したがって、本実施形態によれば、先に説明した第一実施形態と略同様の作用効果を得ることができる。
加えて、本実施形態によれば、袋部１０２を形成する部位（先に説明した「略Ｔ字型の縦棒部分」）のみを折り畳むべく構成されているため、必要最小限の材料にて、マッサージ具用袋体１０１およびマッサージ具を得ることができる。
【００６０】
＜その他の実施例等＞
なお、本考案は、上記実施形態に限定されるものではなく、本考案の趣旨に適合し得る範囲で必要に応じて種々の変更を加えて実施することも可能であり、それらはいずれも本考案の技術的範囲に含まれる。
【００６１】
上記第一実施形態においては、マッサージ具用袋体１の周囲に、複数の縫付部１２〜１５を設ける場合について説明したが、本考案はこの構成に限定されず、一体的に形成された布状体２０を折り畳むことによって袋部２を構成可能であれば、縫い付け箇所あるいはその縫い付け方法等は特に限定されなし。したがって、例えば、図１等に示した一対の袋部形成縫付部１１，１１のみを設ける構成であってもよい。このように、一対の袋部形成縫付部１１，１１のみを設けた場合でも、袋部２の構成は可能である。
【００６２】
また、上記第一実施形態においては、「複数の粒状物」として、複数の真珠４２を用いる場合について説明したが、本考案はこの構成に限定されず、点の刺激ではなく、拡散した自然な刺激を与え得るものであれば、適宜様々なものが使用可能である。したがって、例えば、この粒状物は、小さな球体状のもの（略球体状のものも含む）や楕円体状（略楕円体状のものも含む）であれば、どのようなものであってもよく、約５ｍｍ〜約１５ｍｍ程度の鋼球やセラミック球や豆等であってもよい。
【００６３】
また、上記実施形態においては、収納体４０として、網状の収納袋４１を用いる場合について説明したが、本考案はこの構成に限定されず、収納袋４１に内包した複数の粒状物（例えば、真珠）の感触を損なうことなく、粒状物の破損を防止可能であれば、様々なものが使用可能である。
【００６４】
さらに、上記実施形態においては、収納体４０を構成する収納袋４１として、絹布等の柔らかい素材から成る収納袋４１を用いる場合について説明したが、本考案はこの構成に限定されず、複数の粒状物（例えば、真珠）からの刺激を身体に適切に伝え、ある程度の強度を有するものであれば、様々なものが使用可能である。
【００６５】
また、上記実施形態においては、図４を用いて、マッサージ具２００の使用法の一例を説明したが、当然のことながら、本考案にかかるマッサージ具の使用方法は、これに限定されない。
【００６６】
したがって、例えば、使用者が把持部３，１０３を把持した状態で、袋部２，１０２にて、肩や腰や背中や腕や脚等を叩いて、マッサージを行ってもよい。本実施形態にかかるマッサージ具は、左右両方の把持部３，１０３を把持した状態で袋部２，１０２を振り子のように振り出して使用可能であるため、比較的手が届きにくい背中等であっても、簡単に袋部２，１０２を接触させて、適切なマッサージ効果を得ることができる。しかも、袋部２，１０２は、背中等に接触した際に、その接触した箇所の形状に沿うように変形するため、使用者は、その好みに応じて（使用者が接触速度等を調整して）、自然で柔らかなマッサージ効果を得ることができる。
【００６７】
さらに、他の使用方法としては、把持部３，１０３ではなく、使用者が袋部２，１０２を直接把持して、その状態で、袋部２，１０２を身体に接触させるようにして、マッサージを行ってもよい。つまり、使用者は、袋部２，１０２を把持した状態で、手の届きやすい箇所（例えば、頭頂部や顔や腕や太もも等）に袋部２，１０２を接触させるようにして、マッサージを行ってもよい。このような使用方法の場合には、袋部２，１０２を振り子のように動かさないため、使用者は、より柔らかな刺激を得ることができる。したがって、このような方法によれば、使用者の身体状況に応じて（身体のデリケートな箇所等であっても）、適切なマッサージ効果を得ることができる。例えば、把持した接触部３１を用いて、顔や頭の加圧マッサージを行うことができる。
【００６８】
また、本実施形態にかかるマッサージ具は、袋部２，１０２内の粒状物が真珠４２であるため、風呂での使用も可能である。つまり、入浴時において、全身マッサージや洗浄等に用いることも可能である。より具体的には、ボディシャンプー等を袋部２，１０２に含ませ、入浴やシャワーをしながら、身体全体を洗浄すると同時に全身マッサージを行うことができる。
【産業上の利用可能性】
【００６９】
従来技術にかかるマッサージ具としては、複数の構成要素を用いるものが多数知られている。
しかしながら、この複数の構成要素から成る従来技術にかかるマッサージ具は、使用者が手で持って身体に押し当ててマッサージを行うと、各構成要素およびその接続部分に負荷がかかり、ほつれや破損等が発生する可能性が高まるという問題があった。
【００７０】
これに対して、本実施形態にかかるマッサージ具用袋体１，１０１やこれを用いて構成されるマッサージ具２００は、一体的に形成された布状体２０，６０を用いて構成されている。
つまり、本実施形態にかかるマッサージ具用袋体１，１０１およびマッサージ具２００は、主要部であるマッサージ具用袋体が一つの構成要素を折り畳むことによって構成されている。したがって、このような構成によれば、比較的簡単な構成に基づき、構造的に高い強度を有しつつ自然で柔らかな刺激を身体に与えて、健康回復、健康促進、体調改善等を実現可能なマッサージ具を構成する、マッサージ具用袋体１，１０１およびマッサージ具２００を得ることができる。
【符号の説明】
【００７１】
１…マッサージ具用袋体
２…袋部
２ａ…袋開口部
２ｂ…袋内部
３…把持部
１１…袋部形成縫付部（本考案の「第一縫付部」「第二縫付部」に相当）
１２…上方縫付部
１３…側方縫付部
１４…下方縫付部
１５…袋部下方縫付部
２０…布状体
２１…上方端部（本考案の「開口端部」に相当）
２２…左方端部
２３…下方端部
２４…右方端部
２５…第一折り曲げ部
２６…第二折り曲げ部
３１…折り込み部
４０…収納体
４１…収納袋
４２…真珠（本考案の「粒状物」に相当）
５１…面ファスナ
６０…布状体
６１…上方端部
６２…左方端部
６３…中央下方端部（本考案の「開口端部」に相当）
６４…右方端部
６５…左下方端部
６６…右下方端部
６７…中央左方端部
６８…中央右方端部
７５…第一折り曲げ部
７６…第二折り曲げ部
８１…折り込み部
１０１…マッサージ具用袋体
１０２…袋部
１０２ａ…袋開口部
１０３…把持部
１１１…袋部形成縫付部（本考案の「第一縫付部」「第二縫付部」に相当）
２００…マッサージ具
Ｌ…長辺
Ｓ…短辺
【図１】
0003191532.tif 000003
【図２】
0003191532.tif 000004
【図３】
0003191532.tif 000005
【図４】
0003191532.tif 000006
【図５】
0003191532.tif 000007